(57)【特許請求の範囲】
【請求項１】
ケーシングを把持して回転させ圧入掘削するケーシング回転掘削装置において、
ケーシングを把持する把持装置の外側から内側に亘って設けられる貫通孔と、
前記把持装置の内側部に装着されるスペーサと、
前記スペーサに設けられ、前記貫通孔と連絡する接続孔および前記接続孔内に設けられる係止部材と、
前記把持装置の外側から内側に向かって挿入されて前記把持装置の貫通孔と前記スペーサの接続孔とに嵌挿される取付ピンと、
前記取付ピンの先端部に設けられ、前記取付ピンが前記貫通孔と接続孔とに嵌挿された際、前記スペーサの係止部材に係止される抜け防止部材と、
前記取付ピンの基端部に取付けられ、前記取付ピンの前記把持装置内側方向への移動を禁止する固定部材とを備えたことを特徴とするケーシング回転掘削装置のスペーサ取付装置。
【請求項２】
前記スペーサの係止部材は、前記接続孔内に設けられるプレートと、前記プレートに設けられる長孔とからなり、
前記取付ピンの抜け防止部材は、前記取付ピンの所定の回転位置で前記プレートの長孔の通過が許容され、前記所定の回転位置以外で前記長孔の通過が禁止される構造をなすことを特徴とする請求項１に記載のケーシング回転掘削装置のスペーサ取付装置。
【請求項３】
前記把持装置外側の貫通孔開口部近傍には、前記取付ピンの回転を禁止するピン回り止め部材が設けられていることを特徴とする請求項１または２に記載のケーシング回転掘削装置のスペーサ取付装置。
【請求項４】
前記取付ピンの基端部には、前記把持装置の貫通孔および前記スペーサの接続孔への挿入、引出し、回転を行う把手具が着脱可能に設けられることを特徴とする請求項１〜３のいずれか１項記載のケーシング回転掘削装置のスペーサ取付装置。
【発明の詳細な説明】
【０００１】
【発明の属する技術分野】
本発明は、主に建築・土木の基礎工事に使用されるケーシング回転掘削装置に関し、特に、ケーシング把持装置とケーシングとの間に介装されるスペーサ取付装置に関する。
【０００２】
【従来技術】
ケーシング回転掘削装置には、種々の径のケーシングの把持が可能なように把持装置とケーシングとの間にスペーサを介在させるようにしている。
【０００３】
そのスペーサは、ピンにより把持装置に取り付けられるが、ピンは、鍔付ピンで、スペーサの内側（把持装置の中心側）から外側に向けて装着され、把持装置の外側部から突出した鍔付ピンの先端に抜け止めが施されて固定されるようになっている。
【０００４】
【発明が解決しようとする課題】
掘削の途中にスペーサとケーシングとの隙間に土砂が付着し、ケーシングとスペーサとの間に滑りが生じた場合は、スペーサを掃除する必要がある。しかし、従来の取付構造は、スペーサの内側から外側に向けてピンを取付ける構造であるから、ケーシングを把持している状態ではケーシングが邪魔してピンを抜くことができない。そのため、掘り進んだケーシングを一旦抜き取らなければならず、面倒で時間のかかる作業となっていた。
【０００５】
また、スペーサやケーシングの摩耗により把持力が減少してスペーサとケーシングとの間に滑りが生じた場合も、同様に一旦スペーサを外してスペーサに板材等を溶接等して内径を小さくする補修作業を行う必要があるが、その時にもケーシングを抜き取る必要があり、同様に面倒で時間のかかる作業となっていた。
【０００６】
本発明は、上述した課題に鑑みてなされたものであり、ケーシング回転掘削装置に取り付けられるスペーサの取り付け取り外し作業を容易に行うことができるケーシング回転掘削装置のスペーサ取付装置を提供することを目的とするものである。
【０００７】
【課題を解決するための手段】
上述した目的を達成するために、本発明のケーシング回転掘削装置のスペーサ取付装置は、請求項１の発明は、ケーシングを把持して回転させ圧入掘削するケーシング回転掘削装置において、ケーシングを把持する把持装置の外側から内側に亘って設けられる貫通孔と、前記把持装置の内側部に装着されるスペーサと、前記スペーサに設けられ、前記貫通孔と連絡する接続孔および前記接続孔内に設けられる係止部材と、前記把持装置の外側から内側に向かって挿入されて前記把持装置の貫通孔と前記スペーサの接続孔とに嵌挿される取付ピンと、前記取付ピンの先端部に設けられ、前記取付ピンが前記貫通孔と接続孔とに嵌挿された際、前記スペーサの係止部材に係止される抜け防止部材と、前記取付ピンの基端部に取付けられ、前記取付ピンの前記把持装置内側方向への移動を禁止する固定部材とを備えたものである。
【０００８】
請求項２の発明は、前記スペーサの係止部材は、前記接続孔内に設けられるプレートと、前記プレートに設けられる長孔とからなり、前記取付ピンの抜け防止部材は、前記取付ピンの所定の回転位置で前記プレートの長孔の通過が許容され、前記所定の回転位置以外で前記長孔の通過が禁止される構造をなすものである。
【０００９】
請求項３の発明は、前記把持装置外側の貫通孔開口部近傍には、前記取付ピンの回転を禁止するピン回り止め部材が設けられているものである。
【００１０】
請求項４の発明は、前記取付ピンの基端部には、前記把持装置の貫通孔および前記スペーサの接続孔への挿入、引出し、回転を行う把手具が着脱可能に設けられるものである。
【００１１】
【発明の実施の形態】
本発明のケーシング回転掘削装置のスペーサ取付装置の実施の形態を図１〜図６を用いて説明する。
【００１２】
図１は本発明が適用されるケーシング回転掘削装置の全体側面図、図２は図１の平面図、図３は図２のＡ−Ａ線断面図、図４は図３の要部ａ拡大図、図５は図３のＢ−Ｂ線断面図、図６はピンの詳細図である。
【００１３】
図１、２において、ケーシング回転掘削装置１（以下ケーシングドライバという）は、ジャッキシリンダ３によって水平位置に調整されるベースフレーム４と、ベースフレーム４の四隅に立脚させたガイドポスト５と、前記ベースフレーム４に一端を取付けたスラストシリンダ６によって前記ガイドポスト５に沿って昇降される回転駆動装置７と、この回転駆動装置７の回転側部分に取付けた不図示のケーシングを把持するためのバンド装置８とによって構成されている。
【００１４】
前記回転駆動装置７は図１に示すように外歯付の旋回ベアリング９と、この旋回ベアリング９の外歯と噛み合い、旋回ベアリング９を回転させるピニオン１０と、このピニオン１０を駆動する遊星減速機付油圧モータ１１とから構成されている。
【００１５】
前記バンド装置８は、固定バンド８ａと固定バンド８ａにピン８ｃで揺動可能に連結された一対の可動バンド８ｄで構成されている。この固定バンド８ａは、旋回ベアリング９の回転体側であるアウターレースに固定されている。また可動バンド８ｄの他端にはバンドシリンダ１２が連結されており、このシリンダ１２によって、ケーシングの把持や開放を行うようになっている。また把持するケーシングの外径がバンド装置８の内径より小さい場合は、ドーナッツ状の隙間を生じる。このためスペーサ３０でその隙間を埋めて、確実にバンド装置８でケーシングを把持できるようにする。
【００１６】
このスペーサ３０は固定バンド８ａに取付けられる固定側スペーサ３１と、可動バンド８ｄに取り付けられる２個の可動側スペーサ３２とで構成される。
【００１７】
次に本実施の形態における固定側スペーサ３１、可動側スペーサ３２の取付構造をさらに詳述する。なお、固定側スペーサ３１、可動側スペーサ３２とも同様の取付構造を有するため、固定側スペーサ３１を例に図３〜図６を用いて説明する。
【００１８】
固定バンド８ａには、外側面から内側面に亘ってボス３３によりなる貫通孔３４が設けられる。また、固定側スペーサ３１には、ボス３５によりなる接続孔３６が設けられ、この接続孔３６は、上下方向位置が固定側スペーサ３１を固定バンド８ａに装着した際に、貫通孔３４に合致する位置に設けられ、接続孔３６内には、図５（ａ）に示すような長孔３７ａを有する係止部材３７が固着されている。（図４ａ参照。）なお、貫通孔３４と接続孔３６とは略同径の寸法をなす。
【００１９】
また、固定側スペーサ３１の上部には、固定バンド８ａに装着の際、固定バンド８ａへの係止具となる断面視鉤状の鉤部材３８が設けられ、これによって固定側スペーサ３１を固定バンド８ａの上方から降下させて装着する場合に、固定側スペーサ３１を固定バンド８ａを構成するリブＬＢに係止させてその脱落を防止し、貫通孔３４と接続孔３６との上下方向の位置決めを行う。
【００２０】
そして、固定バンド８ａと固定側スペーサ３１とはそれら貫通孔３４と接続孔３６を位置合せした後、取付ピン４０が嵌挿されて連結される。
【００２１】
取付ピン４０は、貫通孔３４および接続孔３６に、径方向に隙間なく嵌挿される主軸体４１と、主軸体４１の先端側（貫通孔３４と接続孔３６に挿通される側）に主軸体４１よりも小径で長孔３７ａを通過可能な副軸体４２を介して設けられ、係止部材３７の長孔３７ａと略同形状の抜け止め部材４３と、主軸体４１の他端側（固定バンド８ａ側）に設けられ、主軸体４１よりも小径の副軸体４４から構成される。抜け止め部材４３は、長孔３７ａの形成方向と同方向をなす回転位置にあるとき長孔３７ａを通過可能となり、その回転位置以外にあるときは、長孔３７ａを通過不可状態となる。（図５ｂ参照。）
副軸体４４には、抜け止め部材４３が長孔３７ａを通過した状態で、固定バンド８ａの外側面部に位置し、抜け止め部材４３の形成方向と同方向に形成されるコッタ孔４４ａと、その軸端に設けられねじ孔が穿設されたハンドル取付孔４４ｂが設けられる。
【００２２】
なお、コッタ孔４４ａには、貫通孔３４と接続孔３６とに取付ピン４０を嵌挿した際にコッタ５０が嵌挿され、ハンドル取付孔４４ｂには、把手６０ａと先端にねじ部が形成された軸部６０ｂとからなる装着ハンドル６０が着脱可能に取り付けられる。また、貫通孔３４を構成するボス３３には、図４（ｂ）に示すようにＵ字型の回り止め部材５１が設けられ、コッタ５０を取付ピン４０のコッタ孔４４ａに嵌挿した際、コッタ５０の先端部がこの回り止め部材５１に嵌まり込み、コッタ５０により取付ピン４０の回転が阻止される。これにより、取付ピン４０の抜け止め部材４３が係止部材３７を通過し、抜け止め部材４３が、図４，図５（ｂ）に示す長孔３７ａの通過不可状態になったときに、取付ピン４０のコッタ孔４４ａに嵌挿されるコッタ５０が、回り止め部材５１に嵌まり込み取付ピン４０の抜け出しが防止される正規の取付状態を構成するようになっている。
【００２３】
次に固定バンド８ａへの固定側スペーサ３１の取付け作業を説明する。
【００２４】
まず、図示しないクレーン等により、固定側スペーサ３１を固定バンド８ａの上方に吊上げる。この状態から固定側スペーサ３１を固定バンド８ａの内側に向けて降下させる。そして固定側スペーサ３１の鉤部材３８を固定バンド８ａの内側上部に設けられるリブＬＢに係止させる。この際、固定側スペーサ３１の接続孔３６の位置を固定バンド８ａの貫通孔３４の位置に合せるように調整しつつ降下させる。なお、鉤部材３８が固定バンド８ａのリブＬＢに係止された状態では、貫通孔３４と接続孔３６との上下方向の位置は合致するようになっているため、位置の調整は左右方向（回転方向）のみで良い。そして、取付ピン４０を固定バンド８ａの外側から貫通孔３４、固定側スペーサ３１の接続孔３６に嵌挿する。この際、副軸体４４のハンドル取付孔４４ｂに装着ハンドル６０の軸部６０ｂを螺着しておく。
【００２５】
取付ピン４０をある程度嵌挿させたら、装着ハンドル６０により取付ピン４０を回転させて、抜け止め部材４３の方向を係止部材３７の長孔３７ａの形成方向と同一の位置に合せる。この状態で更に取付ピン４０を嵌挿させ、抜け止め部材４３を係止部材３７の長孔３７ａを通過させる。
【００２６】
そして装着ハンドル６０により取付ピン４０を回転させ、抜け止め部材４３を係止部材３７の長孔３７ａの形成方向と合致しない位置にし、係止部材３７を取付ピン４０の主軸体４１と抜け止め部材３７とにより挟持し、取付ピン４０を固定側スペーサ３１に固定する。
【００２７】
その後、副軸体４４のコッタ孔４４ａにコッタ５０を嵌合させ、さらにコッタ５０の先端部を回り止め部材５１に嵌め込んで取付ピン４０を固定バンド８ａに固定（固定バンド８ａの内側方向への移動、回転を禁止する）して固定側スペーサ３１の取付作業が終了する。コッタ５０は、クサビ形状をなすため、その嵌合により取付ピン４０を固定バンド８ａ側へ引き出す方向に移動させる作用をなし、取付ピン４０により固定側スペーサ３１を固定バンド８ａに圧接させてガタなく強固に固定することが可能となる。さらに、コッタ５０が回り止め部材５１に嵌まり込むため、コッタ５０が外れたり、取付ピン４０とともに回転することが防止でき、取付ピン４０の抜け出しが確実に防止できる。
【００２８】
なお、固定側スペーサ３１の固定バンド８ａからの取り外し作業は、上述した手順の逆の作業で行えば良い。
【００２９】
また、可動側スペーサ３２と可動側バンド８ｄとの取付構造も前述したものと同様の構造を有しているため、同様の要領で作業できる。
【００３０】
これによれば、固定側スペーサ３１、可動側スペーサ３２の取付け、取り外し作業を、固定バンド８ａ、可動バンド８ｄの外側で行うことができるので、作業スペースが確保でき、ケーシングの装着の有無に関わりなく行えるので作業性が向上できる。
【００３１】
【発明の効果】
本発明のケーシング回転掘削装置のスペーサ取付装置は、以上のように構成されるので、スペーサを把持装置の外側から着脱可能とできるので作業性が向上できる。
【図面の簡単な説明】
【図１】本発明のケーシング回転掘削装置のスペーサ取付装置が適用されるケーシング回転掘削装置の全体側面図である。
【図２】図１の平面図である。
【図３】図２のＡ−Ａ線断面図である。
【図４】（ａ）図３の要部ａ拡大図、（ｂ）（ａ）のＣ線断面図である。
【図５】（ａ）図３のＢ−Ｂ線断面図、（ｂ）（ａ）において取付ピン４０の抜け止め部４３が係止された状態を示す状態図である。
【図６】ピンの詳細図である。
【符号の説明】
１；ケーシングドライバ、８；バンド装置、８ａ；固定バンド、８ｄ；可動何度、３１；固定側スペーサ、３２；可動側スペーサ、３３、３５；ボス、３４；貫通孔、３６；接続孔、３７；係止部材、３７ａ；長孔、４０；取付ピン、４３；抜け止め部材、５０；コッタ、５１；回り止め部材、６０；装着ハンドル。
【図１】
0004326717.tif 000002
【図２】
0004326717.tif 000003
【図３】
0004326717.tif 000004
【図４】
0004326717.tif 000005
【図５】
0004326717.tif 000006
【図６】
0004326717.tif 000007